【事件の表示】
　特許第３３８４６７８号「液晶表示装置」の請求項１、２に係る特許に対する特許異議の申立てについて、次のとおり決定する。
【結　論】
　訂正を認める。
　特許第３３８４６７８号の請求項１、２に係る特許を維持する。
【理　由】
【1】手続の経緯
　特許第3384678号の請求項1、2に係る発明は、平成8年3月27日に出願されたものであって、平成14年12月27日に設定登録がなされ、その後、葛城範子、中川徹より特許異議申立がなされ、取消理由通知に対して、応答期間内である平成16年1月19日に特許異議意見書の提出と共に訂正請求がなされたものである。
　
【2】訂正の適否についての判断
【2-1】訂正の要旨
　特許権者が求めている訂正の内容は、以下のとおりである。
訂正事項a:
　請求項1の「液晶セルの駆動素子とを具備し、前記緑色のフィルター層の光透過特性が2/3値幅より高い部分において赤色と青色のフィルター層の光透過特性と重なり合うように、」を、「液晶セルの駆動素子とを具備し、赤色及び青色の各フィルター層の腰厚を等しくし、前記緑色のフィルター層の光透過特性が2/3値幅より高い部分において赤色と青色のフィルター層の光透過特性と重なり合うように、」と訂正し、請求項2の「液晶セルに設けられ、緑色のフィルター層の光透過特性が2/3値幅より高い部分において赤色と青色のフィルター層の光透過特性と重なり合うフィルター層を有したことを特徴とする液晶表示装置」を、「液晶セルに設けられ、赤色及び青色の各フィルター層の膜厚を等しくし、緑色のフィルター層の光透過特性が2/3値幅より高い部分において赤色と青色のフィルター層の光透過特性と重なり合うフィルター層を有したことを特徴とする液晶表示装置」と訂正する。
訂正事項b:
　【0005】において、「液晶セルの駆動素子とを具備し、前記緑色のフィルター層の光透過特性が2/3値幅より高い部分において赤色と青色のフィルター層の光透過特性と重なり合うように、」を、「液晶セルの駆動素子とを具備し、赤色及び青色の各フィルター層の膜厚を等しくし、前記緑色のフィルター層の光透過特性が2/3値幅より高い部分において赤色と青色のフィルター層の光透過特性と重なり合うように、」と訂正し.【0006】において、「液晶セルに設けられ、緑色のフィルター層の光透過特性が2/3値幅より高い部分において赤色と青色のフィルター層の光透過特性と重なり合うフィルター層を有したことを特徴とする液晶表示装置」を、「液晶セルに設けられ、赤色及び青色の各フィルター層の膜厚を等しくし、緑色のフィルター層の光透過特性が2/3値幅より高い部分において赤色と青色のフィルター層の光透過特性と重なり合うフィルター層を有したことを特徴とする液晶表示装置」と訂正する。
　
【2-2】訂正の目的の適否、新規事項の有無及び拡張・変更の存否
　上記訂正事項aによる訂正後の、「赤色及び青色の各フィルター層の膜厚を等しくし、」なる事項は、特許明細書の段落【0012】、【0013】に記載された実施例から明らかな事項であり、特許発明の構成であるフィルターの技術事項を限定するものであるから、上記訂正事項aは、特許請求の範囲の減縮を目的とするものであり、願書に添付された明細書又は図面に記載した事項の範囲内の訂正である。
　また、上記訂正事項bは、上記訂正事項aにより生じる明りょうでなくなる記載の釈明を目的とするものである。
　そして、上記訂正事項a、bは、実質上特許請求の範囲を拡張し又は変更するものでもない。
　
【2-3】むすび
　以上のとおりであるから、上記訂正は、特許法第120条の4第2項、同条第3項で準用する同法第126条第2項及び同条第3項の規定に適合するので、当該訂正を認める。
　
【3】特許異議の申立てについての判断
【3-1】本件発明
　訂正された本件の請求項1、2に係る発明(以下、順に「本件発明1」、「本件発明2」という。)は、全文訂正明細書の特許請求の範囲の請求項1、2に記載された以下のものである。
　「【請求項1】 電極基板と、該電極基板間に無電界時に液晶分子が螺旋状の構造を成した液晶層と、電極基板に設けられた赤色と緑色と青色の3原色に対応するフィルター層と、液晶層の外側に液晶の複屈折性を利用するように光軸を選択された偏光板と、液晶セルの駆動素子とを具備し、赤色および青色の各フィルター層の膜厚を等しくし、前記緑色のフィルター層の光透過特性が2/3値幅より高い部分において赤色と青色のフィルター層の光透過特性と重なり合うように、該緑色のフィルター層だけを赤色と青色のフィルター層よりも薄く形成することを特徴とする液晶表示装置
　【請求項2】 電極基板間に螺旋状に配向された液晶分子を有する液晶セルと、該液晶セルを単純マトリクス法で高速駆動する駆動手段と.液晶セルに設けられ、赤色及び青色の各フィルター層の膜厚を等しくし、緑色のフィルター層の光透過特性が2/3値幅より高い部分において赤色と青色のフィルター層の光透過特性と重なり合うフィルター層を有したことを特徴とする液晶表示装置」
　
【3-2】申立ての理由の概要
　申立人葛城範子は、本件発明1、2は、刊行物1〜6に記載された発明に基づいて当業者が容易に発明できたものである旨主張する。
　刊行物1:特開昭63-191102号公報
　刊行物2:特開平7-333594号公報
　刊行物3:特開平7-258592号公報)
　刊行物4:小林駿介編著「カラー液晶ディスプレイ」平成6年3月1日第3刷、産業図書発行、2、3、98、99、145、148、169頁
　刊行物5:加藤英彦著「カラー液晶時代」1993年10月7日、NECクリエイティブ発行、45頁
　刊行物6:内田龍男編著「次世代液晶ディスプレイ技術」1994年11月1日、工業調査会発行、138頁
　また、申立人中川徹は、本件発明1、2は、刊行物7、8に記載された発明に基づいて当業者が容易に発明できたものである旨主張する。
　刊行物7:特開平5-27229号公報
　刊行物8:特開平2-228605号公報
　さらに、申立人中川徹は、請求項1の構成「緑色フィルター層だけを赤色と青色のフィルター層よりも薄くする」旨の記載は緑色フィルター層を他の2つのフィルター層の何れよりも薄くすることを意味するのか、さらに、それに加えて実施例のように他の赤色および青色の各フィルター層の膜厚を等しくすることを意味するのか不明であるから、本件発明1は、特許法第36条第6項第2号に規定する要件を満たしていない旨主張する。
　
【3-3】刊行物の開示事項
刊行物1:特開昭63-191102号公報
　第1頁右下欄第15〜16行目には「力ラーディスプレー」、第6頁左下欄第8〜14行目に「赤、青及び緑の3色の着色パターンを…形成した…薄膜トランジスター」、第6頁右下欄第4〜5行目には「カラー用液晶表示素子」との記載が有る。第6頁右下欄第2〜4行目には「基板と先に形成したカラーフィルター付き薄膜トランジスターとの間に液晶を封入」と、第7頁右上欄第3行に「強誘電性液晶」と記載している。また、第9頁第2図には「比較例1におけるカラーフィルターの分光特性」が図示されており、緑色の透過率特性の2/3幅より高い部分において他のフィルターの光透過特性と重なり合うことは読みとれない。
　
刊行物2:特開平7-333594号公報
　請求項3には「基板面上に赤色、緑色、青色のカラーフィルタをこの順に隣接して繰り返し設け」と、第0001欄第3〜4行目には「単純マトリクス方式のカラー液晶表示装置」と、第0002欄第2〜3行には「ツイステッドネマチック」との記載がある。第0002欄第3〜8行目には「2枚の電極基板間に正の誘電異方性を有するネマチック液晶による90°ねじれたらせん構造を有し、かつ両電極基板の外側には一対の偏光板をその偏光軸(あるいは吸収軸)が、電極基板に隣接する液晶分子の軸に対し直交あるいは平行になるように配置するものであった」と記載されている。第0013欄には「【作用】本発明では、透過率の低い例えば青色のカラーフィルタの膜厚を、1ドットを構成する隣接する透過率の高い他の色のカラーフィルタの膜厚とほぼ同じか、またはそれより厚くしたので、液晶表示素子全体に一定電圧を印加したとき、しきい値電圧近傍において、青色と1ドットを構成する他の色のしきい値電圧に差が生じず、色むらのない均一な表示品質を得ることができる。」と記載されている。第0044欄第4〜6行目には「液晶表示素子62を駆動するIC34は、中央に液晶表示素子62を嵌め込むための窓部を備えた枠状体のプリント基板35に搭載される。」との記載が有る。第7頁の図1には、緑色のフィルター層が赤色と青色のフィルター層よりも薄く図示されている。
　
刊行物3:特開平7-258592号公報
　第0002欄第3〜4行「アクティブマトリックス方式および単純マトリックス方式」と、第0002欄第6〜9行には「薄膜トランジスタ(TFT)を用いたアクティブマトリックス方式の液晶ディスプレイでは、カラーフィル夕は透明基板上に形成された赤(R)、緑(G)、青(B)の3原色からなる着色パターンを備えている。」と記載されている。第0053〜0067欄には、試料No1〜70のインキ組成物の分光特性が示され、R、G、B各色での最低仕様が17頁の表に示されている。
　
刊行物4:「カラー液晶ディスプレイ」
　第46頁図3.2には、TN型表示方式の無電界状態で螺旋構造が図示されている。第145頁第7〜8行には「アクティブマトリックス型LCDにはトランジスター方式(3端子素子方式)とダイオード方式(2端子素子方式)がある。」と、第169頁第18〜19行には「現在アクティブマトリックスLCDに採用されている液晶モードは、そのほとんどがTNモードである。」と、第98頁には強誘電性LCDは螺旋状の構造を取らず「角度+θ、または-θで一様に傾斜配列」する(図5.2強誘電性LCDの動作原理の「(b)E=0」の図)ことが示されている。第2頁「表1.1LCDの動作モード」中の「ねじれたネマチック」の行の「偏光板必要数」の欄には「2」と記載されている。
　
刊行物5:「カラー液晶時代」
　第45頁第2〜4行には「カラー・フィルターを液晶パネルに内蔵する方式によるカラー化は、TFT型液晶に限らず、従来のドット型液晶ディスプレイのすべてに用いることができる。STN型にも、強誘電型にも適用でき、カラー化できる。」とある。
　
刊行物6:「次世代液晶ディスプレイ技術」
　STN方式に関し、液晶の物性例として第138頁第4〜5行に「応答時間は50msとなり、動画表示に十分な高速性を得た」との記載がある。
　
刊行物7:特開平5-27229号公報
　4頁右欄4〜26行目には、スーパー・ツイステッド・ネマチック(STN)型液晶表示素子の高透過率化、高コントラスト化等を図る目的のため、着色表示に対して位相差フィルムを用いて位相補償し、かつ一方の電極基板に分光特性及び平滑性の両方を顔料の分散量で最適化したカラーフィルターを備えることにより、透過率が高く薄型、軽量かつ低消費電力型のカラー液晶モジュールを達成することが記載されている。表示素子の構成は図1に示され、4頁右欄47行目〜5頁左欄32行目には、上下の一対のガラス基板131、132、両基板上に形成されたストライプ状の透明電極133、134、両基板間に狭持され厚さ方向に260度ねじれるように螺旋構造を有する層厚6μmの液晶140、上側基板131に設けられたR、G、Bのカラーフィルター(厚さ1.5〜2.5μm)138、上偏光板111と下偏光板112、複屈折性フィルム121、122を備えていることが記載されている。5頁右欄32行目〜6頁左欄29行目には、顔料分散型カラーフィルター138上の平滑性、色純度、透過率の3つの特性のバランスを考慮して実験により顔料の分散量を最適化し、カラーフィルターの膜厚は大略1.5〜2.5μmの範囲に特定され、カラーフィルターの分光透過率特性は、大略顔料の分散量とカラーフィルターの膜厚の積で決定されること、図3はカラーフィルターの膜厚を大略2μmとした場合の3原色のカラーフィルターの分光透過率特性であり、410、420、430はそれぞれ顔料分散量を約15%とした赤色、緑色、青色の分光特性、411、421、431はぞれぞれ顔料分散量を約30%とした従来の赤色、緑色、青色の分光特性を示すこと、顔料分散量を従来より少なくして所期の色以外の波長領域における透過率を大きくしてカラーフィルターの透過率を向上させていること、従来のカラーフィルターに比較すると淡色であり、ホワイトバランスあるいはバックライトユニツトの組み合わせにおけるホワイト/ブラックバランスを考慮したことが示されている。図6には、偏光板の吸収軸、複屈折性フィルムの光学軸及び液晶配列方向の関係がSTN液晶表示装置が複屈折性を利用するように配置されていることを示し(6頁右欄38行目〜7頁左欄19行目)、図9には液晶を駆動するためのテープキャリアパッケージ160、入力信号用プリント板161、駆動用LSIチップ162が示されている(7頁右欄22行目〜36行目)。
　
刊行物8:特開平2-228605号公報
　1頁右欄17行目〜2頁左上欄17行目には、単純マトリクス方式のSTN型カラー液晶表示装置のカラーフィルターの製造方法に関する発明であること、従来、赤、緑、青のカラーフィルターの複数の色素膜を透過する光の強度はそれらの色によってそれぞれ異なることから、その光強度に対応して各色素膜パターンの厚さを、その厚さの異なる色素膜と上部に設ける液晶層間の間隔を制御して液晶間の間隙を一定とすることにより色調の違いを調整するようにしていることが記載されている。そして、第1図には赤、緑、青からなる膜厚(1.5〜1.8μm)の異なる複数のカラーフィルター2a、2b、2c及びその上に形成された高分子樹脂膜(1.0μm厚)21が示され、樹脂膜21の表面は圧着ローラー32によって平坦化加工されていることが示されている(3頁右上欄8行目〜左下欄9行目)。
　
【3-4】本件特許明細書の記載不備についての判断
　前記訂正により、本件発明1は、赤色および青色の各フィルター層の膜厚が等しいものであることが明らかにされたので、特許異議申立人が主張する記載不備は解消した。
　
【3-5】刊行物記載の発明との対比・判断
　本件発明1、2は、液晶表示装置において、「赤色および青色の各フィルター層の膜厚を等しく」すること、及び「緑色のフィルター層の光透過特性が2/3値幅より高い部分において赤色と青色のフィルター層の光透過特性と重なり合う」ことを技術事項として含むものである。
　これに対して、刊行物1〜8は、赤色および青色の各フィルター層の膜厚を等しくすること、及び緑色のフィルター層の光透過特性が2/3値幅より高い部分において赤色と青色のフィルター層の光透過特性と重なり合うことを開示していない。
　また、刊行物1は、実施例の各色フィルターの分光透過率特性を図示しているが、各色フィルターの膜厚の関係及び緑色のフィルター層の光透過特性が2/3値幅より高い部分において赤色と青色のフィルター層の光透過特性と重なり合うことを開示も示唆もしていない。なお、刊行物1の第2図は、緑色のフィルター層の光透過特性が2/3値幅より高い部分において赤色と青色のフィルター層の光透過特性と重なり合う状態を示すとは認められない。刊行物2は、閾値電圧が高い青色フィルターの膜厚を厚くして色毎の閾値電圧の差を解消する技術思想及び、緑色のフィルターを他のフィルターより薄く描いた図1を示しているが、緑色のフィルター層の光透過特性が2/3値幅より高い部分において赤色と青色のフィルター層の光透過特性と重なり合うことを記載も示唆もしていない。刊行物3はフィルターを形成するための各種インキ組成物の分光特性を示しているが、赤色、緑色および青色フィルターの組合せを何ら示しておらず、各色フィルターの膜厚の関係及び緑色のフィルター層の光透過特性が2/3値幅より高い部分において赤色と青色のフィルター層の光透過特性と重なり合うことを開示も示唆もしていない。刊行物7は、緑色のフィルター層の光透過特性が2/3値幅より高い部分において赤色と青色のフィルター層の光透過特性と重なり合う関係にある分光透過率特性を図3に開示しているが、各色フィルターの膜厚の関係を開示も示唆もしていない。刊行物8は、各色のフィルターの膜厚を光強度に応じて異ならせることを開示し、緑色のフィルターの膜厚が最も小さく描いた図を示してはいるが、赤色および青色の各フィルター層の膜厚を等しくし、前記緑色のフィルター層の光透過特性が2/3値幅より高い部分において赤色と青色のフィルター層の光透過特性と重なり合うことを開示も示唆もしていない。なお、刊行物4〜6は各色フィルターの膜厚の関係及び分光透過率特性に関するものではない。
　以上のことから、液晶表示装置において、「赤色および青色の各フィルター層の膜厚を等しく」し「緑色のフィルター層の光透過特性が2/3値幅より高い部分において赤色と青色のフィルター層の光透過特性と重なり合う」ものとすること、すなわち、緑色のみの分光透過率特性の裾部分を大きくすることにより明るさと彩度の最適化を図ること(本件特許明細書【0011】)が、刊行物1〜8の記載から当業者が容易に想到できたということはできない。
　そして、本件発明1、2は、赤色および青色の各フィルター層の膜厚を等しくし、緑色のフィルター層の光透過特性が2/3値幅より高い部分において赤色と青色のフィルター層の光透過特性と重なり合うようにすることにより、本件特許明細書段落【0016】に記載された効果を奏するものと認められる。
　よって、刊行物1〜8に記載された発明を根拠として、本件発明が特許法第29条第2項に違反して特許されたものということはできない。
　
【3-6】むすび
　以上のとおりであるから、特許異議申立の理由及び証拠方法によっては、本件の請求項1、2に係る発明の特許を取り消すことはできない。
　また、他に本件の請求項1、2に係る発明の特許を取り消すべき理由を発見しない。
　よって、結論のとおり決定する。
【異議決定日】
平成１６年３月１日（２００４．３．１）
【訂正の要旨】
審決（決定）の【理由】欄参照。
（５４）【発明の名称】
液晶表示装置
（５７）【特許請求の範囲】
　【請求項１】　電極基板と、該電極基板間に無電界時に液晶分子が螺旋状の構造を成した液晶層と、電極基板に設けられた赤色と緑色と青色の３原色に対応するフィルター層と、液晶層の外側に液晶の複屈折性を利用するように光軸を選択された偏光板と、液晶セルの駆動素子とを具備し、
赤色および青色の各フィルター層の膜厚を等しくし、
　【請求項２】　電極基板間に螺旋状に配向された液晶分子を有する液晶セルと、該液晶セルを単純マトリクス法で高速駆動する駆動手段と、液晶セルに設けられ、
赤色及び青色の各フィルター層の膜厚を等しくし、
【発明の詳細な説明】
　【０００１】
　【発明の属する技術分野】
　本発明は高速で表示品位のよいカラー表示が行える液晶表示装置に関する。
　【０００２】
　【従来の技術】
　従来より液晶表示器においては、液晶を挾持する電極基板の配向層の下側にフィルター層を設けることによってカラー表示を行うようになっており、それは特開昭６１−２８１２１９号公報に示されるように、基台の表面に異なる色の染料または顔料を含むフィルター層を設け、必要に応じてその表面を保護層で覆い、その上に透明電極を配置し、配向層で覆って基板とし、その基板と他の基板によって液晶を挾持していた。
　【０００３】
　【発明が解決しようとする課題】
　然し乍ら、フィルター層の呈色は液晶層を積層することによって変化し、特に複屈折性を利用する表示モードや、高時分割駆動を目的とする場合には液晶セル層の光吸収分光特性を考慮して色あいを定める必要がある。しかし、さらに高速駆動のため液晶層の厚みを薄くすると薄暗い感じのする白抜けが悪い表示となることが分かった。
　【０００４】
　【課題を解決するための手段】
　本発明は上述の点を考慮し、カラーフィルターの色毎の観察評価に基づいて成されたものである。
　【０００５】
　まず本発明は、該電極基板間に無電界時に液晶分子が螺旋状の構造を成した液晶層と、電極基板に設けられた赤色と緑色と青色の３原色に対応するフィルター層と、液晶層の外側に液晶の複屈折性を利用するように光軸を選択された偏光板と、液晶セルの駆動素子とを具備し、
赤色および青色の各フィルター層の膜厚を等しくし、
　【０００６】
　又本発明は、電極基板間に螺旋状に配向された液晶分子を有する液晶セルと、該液晶セルを単純マトリクス法で高速駆動する駆動手段と、液晶セルに設けられ、
赤色及び青色の各フィルター層の膜厚を等しくし、
　【０００７】
　【発明の実施の形態】
　図１は本発明実施例の液晶表示装置の要部断面図で、１、１０は、内面に透明電極１２と配向膜１３を有して対抗配置された電極基板で、板ガラス等からなる基台１１の表面に必要に応じて下地層などを設けた上にこれらを積層し、両基板１、１０をシール材３などで貼付して、その基板１、１０間に無電界時に液晶分子が螺旋状の構造を成した液晶層２を挾持している。透明電極１２は、互いの基板１、１０同士でマトリクスを形成するために配置されたもので、図ではいずれの電極１２も平行に設けられたストライプ状透明電極（ＩＴＯ膜）が上下の基板１、１０で互いに直交するように配置されたものを例示している。配向膜１３は有機高分子膜からなり、液晶層２の液晶分子を特定の方向に配向させるものである。液晶層２は、例えばネマティック液晶分子がその基板１、１０間で例えば２６０度ねじられたものである。また、必要に応じて偏光板６や位相板６１を液晶層２の上下に配置している。
　【０００８】
　またこの様な電極基板１、１０の一方には、３原色に対応するフィルター層５が設けてあり、その基板においてはフィルター層５と、その上の保護膜４と透明電極１２と配向膜１３とがこの順に積層されている。この保護膜４は、有機絶縁膜若しくは有機絶縁膜と無機絶縁膜の積層体からなり、フィルター層５を保護するとともにフィルター層５から液晶層２に影響する物質が染み出すことを防ぐもので、場合によってはフィルター層５によって生じた凹凸を緩和するための平坦化膜の役目も兼用する。このフィルター層５は、ストライプ状若しくは市松模様状に配置された赤、青、緑の３色からなり、必要に応じてその隙間には遮光性被膜８や遮光性枠体が設けられていてもよい。そしてこのフィルター層５は顔料が添加された光硬化性樹脂もしくは染料が混入された樹脂からなり、中央部分の厚みは例えば０．３μｍ以上５．０μｍ以下となっている。
　【０００９】
　またこの液晶セルは、本発明で特に効果がある複屈折モードを利用するものを図示しており、そのため液晶層２の外側に液晶の複屈折性を利用するように光軸を選択された偏光板６を配置し、電極基板１、１０間に螺旋状に配向された液晶分子を有する液晶セルを、単純マトリクス法で高速駆動する駆動手段７を液晶セル周辺部に配置接続している。複屈折モードとは、いわゆるＴＮの旋光性を利用するモードに対比して、液晶セル中を光が伝搬するときに複屈折したことによる光の干渉を表示に利用するもので、多くは螺旋階段状に捩った液晶分子の捩れ角を１８０〜２７０度に設定し、偏光軸や吸収軸と配向軸を交差させることで得られる。一方単純マトリクス法による駆動とは、走査中時間と非走査時間を含めた一定期間の選択画素と非選択画素の実効値電圧が、各々閾値より高く又は低くなる様に駆動するもので、線順次走査をする場合、走査中の電極を例に取ると、走査電圧と、それに加算若しくは減算されるように信号電圧とを印加するもので、駆動手段７は例えばＴＣＰ（テープキャリアパッケージ）半導体集積回路からなる。
　【００１０】
　この様な構成において、高速駆動、例えば７インチの大きさの画面で時々刻々送られてくる交通情報を地図に重ねて表示したり、ハイビジョン映像を表示するようないわゆる動画対応の機器にするには、従来の高時分割駆動で対応していた立ち上がり立ち下がり時間２５０〜３５０ｍｓｅｃでは困難であり、高速化のためには液晶層のレターディションΔｎ・ｄを上げたり、液晶層２の厚みを薄くしたりする必要がある。ところが、これによってコントラストが低下し画面が判読し難くなり易く、その典型的な症状は、薄暗い感じの表示となり、とくに色座標で表したときの全色点灯の白色の抜けが悪いことが分かった。
　【００１１】
　そこで白抜けを効率よく改善する方法として、視感度特性が緑にピークが存在することに着目し、まず各色の濃さと分布とを検討した。そして図２に示すように、緑色のフィルター層５Ｇの光透過特性Ｇが半値幅Ａより高い部分において、赤色と青色のフィルター層５Ｒ、Ｂの光透過特性Ｒ、Ｂと重なり合う部分が増えるようにすることで緑色のフィルター層５Ｇにおける光透過度を高くしたところ見易くなった。しかし、赤や青のフィルター層で分光特性を広げると、鮮明さが欠けた。そこで、赤や青のフィルター層の分光特性を保持し表示の色度を保ったままで、表示の明るさと彩度の最適化を検討した。その結果、例えば、光透過度が３０．９３であったものが、３５．５９であり、従来白座標がｘ＝０．３１２２、ｙ＝０．３２３７に対して、ｘ＝０．３２５１、ｙ＝０．３２３５とほぼ変わらず、表示のくすみが取れ、鮮やかになって表示が見易くなる、図２に示すような特性のフィルター層を持つ表示装置を得た。その条件は、緑色のフィルター層５Ｇの光透過特性Ｇが２／３値幅より高い部分ａにおいて、赤色と青色のフィルター層５Ｒ、Ｂの光透過特性Ｒ、Ｂと重なり合う部分が明瞭に存在すればよいことが分かった。
　【００１２】
　このようなフィルター層５は、染料や顔料を用いると先に説明したが、例えば顔料を用いた場合、以下のように形成される。アクリル系の樹脂を紫外線硬化によってエッチング処理できるように増感処理し、赤色の場合にはベンガラ、リゾールレッド、レーキレッドＧ、ウオッチングレッド、カーミン６Ｂ、ローダミンレーサ等の顔料を１０〜７０ｗｔ％程度分散させ、その材料を厚さ５μｍ程度のポリエチレンタレフタレートからなる保持シート上に厚さ０．３〜５．１μｍの膜として形成させる。この樹脂シートに形成された膜を、プレヒートされガラス基台１１上に５〜５００ｇ／ｃｍ２の過熱ローラで加圧し転写する。その後、波長３８０ｎｍ前後の紫外線を用いてパターン露光し、母材のアクリル系樹脂を架橋させ、炭酸ソーダなどでエッチングし、例えば幅１００μｍ、厚み３μｍの断面長方形のストライプ状をなした、所定の赤色ストライプ状の第１のフィルター層５Ｒを得る。
　【００１３】
　次いで同じく紫外線架橋型のアクリル系樹脂にピリジアングリーン、クロムグリーン、フタロシアニングリーン等の緑色顔料を分散させ、赤色より少し薄い厚さの膜をシート上に形成し、同様にして基台１１上に転写し、露光パターニングを行って例えば幅１００μｍ、厚さ２．５μｍのストライプ状をなした緑色の第２のフィルター層５Ｇを形成する。最後にアクリル系の樹脂に群青、紺青、スカイブルー、フタロシアンブルーなどの青色顔料を用いた膜で、３色目の転写パターニングを行う。このようにして得られた第３のフィルター層５Ｂは、中央の厚みが例えば３．０μｍであった。
　【００１４】
　このようにして形成されるフィルター層５は、保持シートの上に薄くて均一な厚みに形成され保持シートの延展性で着色膜を均一な厚みに保持する。薄くなりすぎるとフィルター層を液晶層に積層した場合、所定の色濃度が得られにくいことがあるので、曲線の飽和領域が始まる部分を考慮すると、フィルター層５の中央部分の厚みは０．３μｍ以上５．０μｍ以下、より好ましくは液晶層２のレターディションΔｎ・ｄが５００〜９００ｎｍのときに０．５〜４．０μｍで、緑色のフィルター層の光透過特性が従来の特性ｇよりブロードになるようにすることで色座表上のｙ値を善くし、２０％程度の表示色改善を行うことができた。
　【００１５】
　なおこの時、上述した複屈折モードのネガタイプ（選択時に光透過性が増し、非選択時に遮光性をもたらすもので、いわゆるＳＴＮのブルーモードに相当）の駆動においては、フィルター層は緑色のフィルター層が他の２色のフィルター層よりも薄く形成されることで、半選択時の輝度を低下（黒さ加減を増加）させ、コントラストを向上させることができる。
　【００１６】
　【発明の効果】
　以上の如くカラーフィルターのフィルター層の色毎の分光特性をとくに緑色について広くし、もって白表示の色座標を改善し、あるいは緑色のフィルター層の厚みを薄くすることで黒表示を改善して、コントラストの高い高速表示を行うことができた。
【図面の簡単な説明】
　【図１】
　本発明実施例の液晶表示装置の要部断面図である。
　【図２】
　フィルター層の分光特性図である。
　【符号の説明】
　１　電極基板
　１２　電極
　１３　配向膜
　２　液晶
　５　フィルター層
　６　偏光板
　７　駆動手段
　８　遮光性被膜